(57)【要約】【課題】送信側装置と受信側装置との間でデータとそのクロック情報とを１回線で伝送する方式を利用して、受信側でクロックの位相を合わせることができる伝送システムを比較的に安価に提供する。【解決手段】データ送信側装置１１０は、データクロックと伝送クロックとの位相を比較する位相比較回路１１４と、データクロックと伝送クロックとの位相差が所定範囲内になるタイミングで、シリアル伝送路１２０上に送出するデータの伝送区間以外の領域に位相マーカデータａ３を挿入する位相マーカ挿入回路１１１とを有する。データ受信側装置１３０は、受信された位相マーカデータａ３の挿入点のタイミングに合わせて、再生されるデータクロックの位相を校正する校正手段（位相比較器１３１、ＬＰＦ１３２、ＶＣＸＯ１３３）を有する。【選択図】図１
2008193405.tif 000002
【特許請求の範囲】
【請求項１】
データをシリアル伝送路上に送出する送信側装置と、
前記シリアル伝送路を介して前記データを受信する受信側装置とを備えた伝送システムであって、
前記送信側装置は、
前記データのクロックとそのクロックとは非同期の前記シリアル伝送路の伝送クロックとの位相を比較する位相比較手段と、
前記クロックと前記伝送クロックとの位相差が所定範囲内になるタイミングで、前記シリアル伝送路上に送出するデータの伝送区間以外の領域にクロック位相情報を挿入する位相情報挿入手段とを有し、
前記受信側装置は、
前記データと共に前記クロック位相情報を受信する受信手段と、
受信された前記クロック位相情報の挿入点に対応するタイミングに合わせて、前記クロックの位相を校正する校正手段とを有することを特徴とする伝送システム。
【請求項２】
前記シリアル伝送路は、非同期シリアルインターフェース伝送方式によるものであることを特徴とする請求項１に記載の伝送システム。
【請求項３】
前記非同期シリアルインターフェース伝送方式は、ＤＶＢ−ＡＳＩ伝送方式であることを特徴とする請求項２に記載の伝送システム。
【請求項４】
前記位相情報挿入手段は、前記データクロックと前記伝送クロックとの位相が一致するタイミングで前記クロック位相情報を挿入することを特徴する請求項１乃至３のいずれか１項に記載の伝送システム。
【請求項５】
前記校正手段は、
クロックを発振する発振器と、
前記クロックの立ち上がり点と、受信された前記クロック位相情報の挿入点とが一致するように前記発振器の発振周波数を制御する制御手段とを有することを特徴とする請求項１乃至４のいずれか１項に記載の伝送システム。
【請求項６】
データをシリアル伝送路上に送出する送信側装置と、
前記シリアル伝送路を介して前記データを受信する受信側装置とを備えた伝送システムの動作方法であって、
前記送信側装置が、前記データのクロックとそのクロックとは非同期の前記シリアル伝送路の伝送クロックとの位相を比較し、前記クロックと前記伝送クロックとの位相差が所定範囲内になるタイミングで、前記シリアル伝送路上に送出するデータの伝送区間以外の領域にクロック位相情報を挿入し、
前記受信側装置が、前記データと共に前記クロック位相情報を受信し、受信された前記クロック位相情報の挿入点に対応するタイミングに合わせて、前記クロックの位相を校正することを特徴とする伝送システムの動作方法。
【請求項７】
データをシリアル伝送路上に送出する送信側装置であって、
前記データのクロックとそのクロックとは非同期の前記シリアル伝送路の伝送クロックとの位相を比較する位相比較手段と、
前記クロックと前記伝送クロックとの位相差が所定範囲内になるタイミングで、前記シリアル伝送路上に送出するデータの伝送区間以外の領域にクロック位相情報を挿入する位相情報挿入手段とを有することを特徴とする送信側装置。
【請求項８】
データをシリアル伝送路上に送出する送信側装置の動作方法であって、
前記データのクロックとそのクロックとは非同期の前記シリアル伝送路の伝送クロックとの位相を比較し、
前記クロックと前記伝送クロックとの位相差が所定範囲内になるタイミングで、前記シリアル伝送路上に送出するデータの伝送区間以外の領域にクロック位相情報を挿入することを特徴とする送信側装置の動作方法。
【請求項９】
送信側装置からのデータをシリアル伝送路を介して受信する受信側装置であって、
前記送信側装置から、前記データのクロックとそのクロックとは非同期の前記シリアル伝送路の伝送クロックとの位相差が所定範囲内になるタイミングで、前記シリアル伝送路上に送出するデータの伝送区間以外の領域に挿入されたクロック位相情報を、前記データと共に受信する受信手段と、
受信された前記クロック位相情報の挿入点に対応するタイミングに合わせて、前記クロックの位相を校正する位相校正手段とを有することを特徴とする受信側装置。
【請求項１０】
送信側装置からのデータをシリアル伝送路を介して受信する受信側装置の動作方法であって、
前記送信側装置から、前記データのクロックとそのクロックとは非同期の前記シリアル伝送路の伝送クロックとの位相差が所定範囲内になるタイミングで、前記シリアル伝送路上に送出するデータの伝送区間以外の領域に挿入されたクロック位相情報を、前記データと共に受信し、
受信された前記クロック位相情報の挿入点に対応するタイミングに合わせて、前記クロックの位相を校正することを特徴とする受信側装置の動作方法。
【請求項１１】
請求項１乃至５のいずれか１項に記載の伝送システムを用いたことを特徴とするデジタル放送システム。
【発明の詳細な説明】
【技術分野】
【０００１】
本発明は、伝送システム、送信側装置、受信側装置、これらの動作方法、及びデジタル放送システムに関し、特にデータ伝送と併せてクロック情報も併せて伝送する伝送システム及びその回路構成に関する。
【背景技術】
【０００２】
地上デジタル放送システムは、データとクロックを伝送するクロック同期システムである。この一例を図４に示す。
【０００３】
図４は、従来例の地上デジタル放送システムにおける機器間の信号接続図である。同図に示す地上デジタル放送システムには、送信側にデータ送信側装置が、また受信側にデータ受信側装置がそれぞれ設けられる。
【０００４】
このうち、データ送信側装置は、複数の圧縮符号化された映像信号、音声信号、データを多重したストリームとして、２０４バイトの固定長パケットが連続したＴＳ（トランスポートストリーム）信号を成す８ビットのパラレルデータを伝送レートが２７０Ｍｂｐｓのシリアルデータに変換して伝送するＡＳＩ（Asynchronous Serial Interface）トランスミッタ９と、ＴＳ信号のデータクロックである８．１２７ＭＨｚクロック、または１０ＭＨｚクロックを、ＴＳ信号を伝送するケーブルとは別ケーブル（同軸ケーブル）で伝送するクロックドライバ１０とを有する。
【０００５】
一方、データ受信側装置は、ＡＳＩトランスミッタ９からのシリアルデータを８ビットのパラレルデータに変換して受信するＡＳＩレシーバ１１と、クロックドライバ１０からのクロックを受信するクロックレシーバ１２と、クロックレシーバ１２の出力信号を入力し、８．１２７ＭＨｚ又は１０ＭＨｚのデータクロックを出力するＰＬＬ（Phase Locked Loop）回路１３とを有している。
【０００６】
図４に示す構成では、データはＴＳ（トランスポートストリーム）パケットの形で、ＤＶＢ−ＡＳＩ（Digital Video Broadcasting-Asynchronous Serial Interface）と呼ばれる非同期シリアルインターフェースにより、データ送信側装置とデータ受信側装置との両機器間を伝送される。ＤＶＢ−ＡＳＩ上のクロック（２７０ＭＨｚ）は、データの変化点を使用してデータ受信側装置が再生する。地上デジタル放送システムでは、ＤＶＢ−ＡＳＩによってＴＳデータを伝送するのとは別に、ＴＳ信号のデータクロックである８．１２７ＭＨｚクロック、または１０ＭＨｚクロックを、ＴＳデータを伝送するケーブルとは別ケーブル（同軸ケーブル）で伝送する。
【０００７】
なお、本発明に関連する先行技術文献としては、以下のものがある。
【特許文献１】特開２０００−２５３２７５号公報
【特許文献２】特開２００１−１０３５０２号公報
【特許文献３】特開平０８−１２６０２９号公報
【特許文献４】特開平１１−００４２０４号公報
【発明の開示】
【発明が解決しようとする課題】
【０００８】
しかしながら、前述した従来例の地上デジタル放送システムでは、データ送信側と受信側の距離が離れている場合、これら２本の信号を別ケーブルにて伝送することがコスト的な問題などで困難な場合がある。このような場合、一般に以下の２つの方法が現在用いられている。
【０００９】
（１）第１の方法は、データとクロック情報を多重化し、１本のケーブルで伝送するものである。この方式について、図５を参照して説明する。
【００１０】
図５は、データとクロックを１本の信号線で伝送する方式の信号処理を説明するブロック図を示す。
【００１１】
図５において、送信側には、データ／クロック多重回路１４を有するデータ送信側装置と、このデータ送信側装置の出力側に接続されるＥ／Ｏ（電気／光）変換回路１５とが設けられ、Ｅ／Ｏ変換回路１５の出力側は光回線に接続されている。また、受信側には、光回線に接続されるＯ／Ｅ（光／電気）変換回路１６と、そのＯ／Ｅ変換回路１６の出力側に接続されるデータ／クロック復元・分離回路１７を有するデータ受信側装置とが設けられる。
【００１２】
データ／クロック多重回路１４は、パラレル又はシリアルのデータと、８．１２７ＭＨｚ又は１０ＭＨｚのデータクロックとを多重して、ＤＶＢ−ＡＳＩインターフェースにより伝送する。
【００１３】
Ｅ／Ｏ変換回路１５は、データ／クロック多重回路１４から供給される伝送データを電気信号から光信号に変換し、光回線を介して伝送する。また、Ｏ／Ｅ変換回路１６は、光回線を介してＥ／Ｏ変換回路１５からのデータを光信号から電気信号に変換し、その伝送データをデータ／クロック復元・分離回路１７に供給する。
【００１４】
データ／クロック復元・分離回路１７は、Ｏ／Ｅ変換回路１６からの伝送データを入力して、パラレル又はシリアルのデータと、８．１２７ＭＨｚ又は１０ＭＨｚのデータクロックとに分離して復元する。
【００１５】
図５に示す構成では、データとクロック情報信号は、多重化により１本の信号線で伝送される。
【００１６】
（２）第２の方法は、データ送信側装置及び受信側装置ともにＧＰＳ（Global Positioning System）を使用して同一の周波数とし、両機器間でクロック信号は伝送しないものである。この方式について、図６を参照して説明する。
【００１７】
図６は、ＧＰＳを使用してデータのみ伝送する場合のシステム系統図を示す。図６は、従来のＧＰＳからのクロックを使用することで、クロック伝送を行わない方式を説明するものである。
【００１８】
図６において、送信側には、ＧＰＳユニット１８及びＡＳＩトランスミッタ１９を有するデータ送信側装置と、Ｅ／Ｏ変換回路２０とが、また受信側には、Ｏ／Ｅ変換回路２１と、ＡＳＩレシーバ２２及びＧＰＳユニット２３を有するデータ受信側装置とがそれぞれ設けられる。
【００１９】
データ送信側装置において、ＧＰＳユニット１８は、ＧＰＳ衛星からの電波を受信しそのＧＰＳ時刻信号に基づき１０ＭＨｚのデータクロックを生成する。また、ＡＳＩトランスミッタ１９は、パラレル又はシリアルのデータをＤＶＢ−ＡＳＩインターフェースによりＥ／Ｏ変換回路２０に伝送する。
【００２０】
Ｅ／Ｏ変換回路２０は、ＡＳＩトランスミッタ１９から供給される電気信号を光信号に変換し、光回線を介して伝送する。また、Ｏ／Ｅ変換回路２１は、光回線を介してＥ／Ｏ変換回路１５からの光信号を電気信号に変換し、データ受信側装置に供給する。
【００２１】
データ受信側装置において、ＧＰＳユニット２３は、ＧＰＳ衛星からの電波を受信しそのＧＰＳ時刻信号に基づき１０ＭＨｚのデータクロックを生成する。ＡＳＩレシーバ２２は、Ｏ／Ｅ変換回路２１からの電気信号を入力し、パラレル又はシリアルのデータに変換する。
【００２２】
しかしながら、データとクロックとを多重化して伝送する前記（１）の方式では、次のような問題があった。この点について、図７及び図８を参照して説明する。
【００２３】
図７は、前記（１）の詳細を示すブロック図である。
【００２４】
図７において、データ送信側装置は、図５に示すデータ／クロック多重回路１４内の詳細構成として、Ｋ２８．５挿入回路２４、クロックカウンタ２５、データセレクタ２６、パラレルシリアル変換回路２７、伝送クロック生成回路２８、及びシリアルパラレル変換回路２９を有している。
【００２５】
Ｋ２８．５挿入回路２４は、シリアル伝送路上のデータ伝送領域以外にスタッフィングデータとしてスペシャルキャラクタコードであるＫ２８．５を挿入するもので、そのＫ２８．５をデータセレクタ２６に供給する。
【００２６】
クロックカウンタ２５は、送信側のデータのクロックをカウントし、そのカウント値をクロック情報（周波数情報）としてデータセレクタ２６に供給する。
【００２７】
データセレクタ２６は、伝送すべきパラレルのデータと、Ｋ２８．５挿入回路２４からのＫ２８．５と、クロックカウンタ２５からのカウンタ値（クロック情報）とのいずれかを選択し、シリアルパラレル変換回路２９に送る。
【００２８】
パラレルシリアル変換回路２７は、伝送クロック生成回路２８からの伝送クロックに基づいて、シリアルパラレル変換回路２９からの出力であるデータ、Ｋ２８．５、及びクロック情報をシリアルデータに変換し、ＤＶＢ−ＡＳＩなどのシリアル伝送路上に送出する。図８の例では、シリアル伝送路上には、Ｋ２８．５、クロック情報、データといったフォーマットで送出される。
【００２９】
データ送信側装置は、シリアルパラレル変換回路２９、デマルチプレクサ３０、可変周波数発振器３１、カウンタ値比較回路３２、及び周波数カウンタ３３を有している。
【００３０】
シリアルパラレル変換回路２９は、シリアルデータをパラレルデータに変換して、デマルチプレクサ３０に出力する。
【００３１】
デマルチプレクサ３０は、変換されたパラレルデータから、データとそのクロック情報とを分離し、そのデータを出力する一方、クロック情報をカウンタ値比較回路３２に供給する。
【００３２】
カウンタ値比較回路３２は、クロック情報である送信側のクロックのカウント値と、周波数カウンタ３３からのカウント値とを比較し、両カウンタ値の差信号を可変周波数発振器３１に出力する。
【００３３】
可変周波数発振器３１は、カウンタ値比較回路３２からの両カウンタ値の差が零になるように、自身が発振するクロックの発振周波数を可変制御し、再生クロックとして出力すると共に、その再生クロックを周波数カウンタ３３を介してカウンタ値比較回路３２にフィードバックする。
【００３４】
周波数カウンタ３３は、可変周波数発振器３１から可変制御された再生クロックの周波数をカウントし、そのカウント値をカウンタ値比較回路３２に供給する。
【００３５】
従って、前記（１）の方式では、図８に示すように、送信側のクロックをカウントするカウンタ値を、あらかじめ決められた頻度で伝送し、受信側でそのカウンタ値と自身のクロックをカウントするカウンタ値との進み具合が同じになるような制御しか行えない。このため、クロック情報として周波数情報は送ることができても、位相情報まで伝送することができない。すなわち、回線に伝送ジッタが存在するため、位相情報を送ることができない。
【００３６】
このため、前記（１）の方式、すなわちデータとクロック情報を多重化して１回線で伝送する方式では、複数の受信側装置間の処理時間が、装置の電源のＯＦＦ／ＯＮなどで最大１クロックずれることになり、ＳＦＮ（単一周波数ネットワーク）を行う場合や、複数回線の無瞬断切替を行う際に障害となる。このような場合の構成例を図８に示す。
【００３７】
図８において、２系統の送信装置１、２（３４、３５）、伝送路１、２（３６、３７）、受信装置１、２（３８、３９）、及び系統選択装置４０が設けられる。送信装置１、２（３４、３５）は、同じデータとそのクロックをそれぞれ並列入力し、前述したようにシリアルデータに変換して、各伝送路１、２（３６、３７）を介して各受信装置１、２（３８、３９）に個別に伝送する。各受信装置１、２（３８、３９）は、それぞれ伝送されたシリアルデータを前述したようにパラレルデータに変換し、データとそのクロックとに分離し、系統選択装置４０に出力する。系統選択装置４０は、両系統の受信装置１、２（３８、３９）からの両出力（データ出力１及びクロック出力１と、データ出力２及びクロック出力２）のいずれかを選択して出力する。このとき、同図に示すように、クロック出力１とクロック出力２との間の周波数は合っているが、位相は合っていない。このため、シームレスに回線切り替えを行うことができない。
【００３８】
一方、ＧＰＳを用いる前記（２）の方法では、ＧＰＳの設置コストがかかるのと、落雷などによりＧＰＳ衛星からの電波が受信できない場合が考えられる。
【００３９】
本発明は、上記課題を解決するもので、送信側装置と受信側装置との間でデータとそのクロック情報とを１回線で伝送する方式を利用して、受信側でクロックの位相を合わせることができる伝送システムを比較的に安価に提供することを目的とする。
【課題を解決するための手段】
【００４０】
上記目的を達成するため、本発明に係る伝送システムは、データをシリアル伝送路上に送出する送信側装置と、前記シリアル伝送路を介して前記データを受信する受信側装置とを備えたものであって、前記送信側装置は、前記データのクロックとそのクロックとは非同期の前記シリアル伝送路の伝送クロックとの位相を比較する位相比較手段と、前記クロックと前記伝送クロックとの位相差が所定範囲内になるタイミングで、前記シリアル伝送路上に送出するデータの伝送区間以外の領域にクロック位相情報を挿入する位相情報挿入手段とを有し、前記受信側装置は、前記データと共に前記クロック位相情報を受信する受信手段と、受信された前記クロック位相情報の挿入点に対応するタイミングに合わせて、前記クロックの位相を校正する校正手段とを有することを特徴とする。
【００４１】
本発明において、前記シリアル伝送路は、非同期シリアルインターフェース伝送方式によるものであってもよい。前記非同期シリアルインターフェース伝送方式は、ＤＶＢ−ＡＳＩ伝送方式であってもよい。前記位相情報挿入手段は、前記データクロックと前記伝送クロックとの位相が一致するタイミングで前記クロック位相情報を挿入してもよい。前記校正手段は、クロックを発振する発振器と、前記クロックの立ち上がり点と、受信された前記クロック位相情報の挿入点とが一致するように前記発振器の発振周波数を制御する制御手段とを有してもよい。
【００４２】
本発明に係る伝送システムの動作方法は、データをシリアル伝送路上に送出する送信側装置と、前記シリアル伝送路を介して前記データを受信する受信側装置とを備えた伝送システムの動作方法であって、前記送信側装置が、前記データのクロックとそのクロックとは非同期の前記シリアル伝送路の伝送クロックとの位相を比較し、前記クロックと前記伝送クロックとの位相差が所定範囲内になるタイミングで、前記シリアル伝送路上に送出するデータの伝送区間以外の領域にクロック位相情報を挿入し、前記受信側装置が、前記データと共に前記クロック位相情報を受信し、受信された前記クロック位相情報の挿入点に対応するタイミングに合わせて、前記クロックの位相を校正することを特徴とする。
【００４３】
本発明に係る送信側装置は、データをシリアル伝送路上に送出するものであって、前記データのクロックとそのクロックとは非同期の前記シリアル伝送路の伝送クロックとの位相を比較する位相比較手段と、前記クロックと前記伝送クロックとの位相差が所定範囲内になるタイミングで、前記シリアル伝送路上に送出するデータの伝送区間以外の領域にクロック位相情報を挿入する位相情報挿入手段とを有することを特徴とする。
【００４４】
本発明に係る送信側装置の動作方法は、データをシリアル伝送路上に送出するものであって、前記データのクロックとそのクロックとは非同期の前記シリアル伝送路の伝送クロックとの位相を比較し、前記クロックと前記伝送クロックとの位相差が所定範囲内になるタイミングで、前記シリアル伝送路上に送出するデータの伝送区間以外の領域にクロック位相情報を挿入することを特徴とする。
【００４５】
本発明に係る受信側装置は、送信側装置からのデータをシリアル伝送路を介して受信するものであって、前記送信側装置から、前記データのクロックとそのクロックとは非同期の前記シリアル伝送路の伝送クロックとの位相差が所定範囲内になるタイミングで、前記シリアル伝送路上に送出するデータの伝送区間以外の領域に挿入されたクロック位相情報を、前記データと共に受信する受信手段と、受信された前記クロック位相情報の挿入点に対応するタイミングに合わせて、前記クロックの位相を校正する位相校正手段とを有することを特徴とする。
【００４６】
本発明に係る受信側装置の動作方法は、送信側装置からのデータをシリアル伝送路を介して受信するものであって、前記送信側装置から、前記データのクロックとそのクロックとは非同期の前記シリアル伝送路の伝送クロックとの位相差が所定範囲内になるタイミングで、前記シリアル伝送路上に送出するデータの伝送区間以外の領域に挿入されたクロック位相情報を、前記データと共に受信し、受信された前記クロック位相情報の挿入点に対応するタイミングに合わせて、前記クロックの位相を校正することを特徴とする。
【００４７】
本発明に係るデジタル放送システムは、上記いずれかの伝送システムを用いたことを特徴とする。
【発明の効果】
【００４８】
本発明によれば、送信側装置と受信側装置との間でデータとそのクロック情報とを１回線で伝送する方式を利用して、受信側でクロックの位相を合わせることができる伝送システムを比較的に安価に提供することができる。
【発明を実施するための最良の形態】
【００４９】
次に、本発明の実施の形態に係る伝送システム、送信側装置、受信側装置、これらの動作方法、及びデジタル放送システムについて、図面を参照して詳細に説明する。
【００５０】
図１は、本発明の実施の形態に係る地上デジタル放送システムに用いられる伝送システムの全体構成を示す。同図に示す伝送システムは、前述した複数の圧縮符号化された映像信号、音声信号、データを多重したストリームとして、２０４バイトの固定長パケットが連続したＴＳ信号のデータとそのクロック情報を多重化して１回線で伝送する方式を適用したものである。
【００５１】
具体的に、送信側には、データ送信側装置１１０が、また受信側には、そのデータ送信側装置１１０にシリアル伝送路１２０を介して接続されるデータ受信側装置１３０とがそれぞれ設けられる。シリアル伝送路１２０には、非同期シリアルインターフェースを利用した伝送方式によるものが用いられ、本実施の形態では、非同期シリアルインターフェースとして、前述した伝送レートが２７０ＭｂｐｓのＤＶＢ−ＡＳＩインターフェースが使用される。また、シリアル伝送路１２０には、前述した光回線を用いた回路構成（Ｅ／Ｏ変換回路、Ｏ／Ｅ変換回路）も適用可能である。
【００５２】
データ送信側装置１１０は、ＴＳ信号のデータクロックと、このデータクロックとは非同期のシリアル伝送路１２０上の伝送クロックとの位相比較を行う回路（本発明の位相比較手段を成す。）と、その結果から両クロックの位相一致点を検出し、そのタイミングで、低ジッタでクロック位相情報である位相マーカ（校正用マーカ）を挿入する回路（本発明の位相情報挿入手段を成す。）とを備える。位相マーカは、本伝送システムであらかじめ決められた特定の制御コード（例えば、１０ビットのシリアルデータ）で構成される。
【００５３】
具体的な構成例としては、図１（ａ）に示すように、本発明の位相情報挿入手段の要部を成す位相マーカ挿入回路１１１と、データセレクタ１１２と、パラレルシリアル変換回路１１３と、本発明の位相比較手段の要部を成す位相比較回路１１４と、伝送クロック生成回路１１５とを有する。その他、図１（ａ）では図示していないが、前述した図７と同様に、スタッフィングデータとしてスペシャルキャラクタコードであるＫ２８．５を挿入するためのＫ２８．５挿入回路も含まれる。
【００５４】
位相マーカ挿入回路１１１は、位相比較回路１１４からの制御信号を成すパルス信号のＬレベルからＨレベルへの立ち上がりエッジ（後述参照）に同期して、ユーザデータ以外のデータを送出するタイミングで、位相マーカデータを生成し、その位相マーカデータをデータセレクタ２に供給する。
【００５５】
データセレクタ１１２は、前述したＴＳパケットを成すデータとして外部から入力される８ビットデータ（３２．５Ｍｂｐｓ）と、位相マーカ挿入回路１からの位相マーカデータとのいずれかを選択し、パラレルシリアル変換回路１１３に供給する。
【００５６】
伝送クロック生成回路１１５は、２７ＭＨｚの伝送クロックを生成し、パラレルシリアル変換回路１１３及び位相比較回路１１４に供給する。
【００５７】
パラレルシリアル変換回路１１３は、伝送クロック生成回路１１５からの２７ＭＨｚの伝送クロックに従い、データセレクタ１１２から出力されるパラレルデータを１０ビット毎のシリアルデータに変換し、シリアル伝送路１２０上に送出する。
【００５８】
このとき、シリアル伝送路１２０上には、図１（ａ）中に示すように、シリアルデータとして、データａ１と、スペシャルキャラクタコードであるＫ２８．５スタッフィングデータａ２と、位相マーカデータａ３とが切れ目なく連続して送出される。このうち、データａ１には、図１（ｂ）中に示すように、送出すべきユーザデータａ１１と、そのユーザデータａ１１がない場合に送信側と受信側との同期を取るために流される同期用データａ１２とが含まれる。位相マーカデータａ３は、ＤＶＢ−ＡＳＩ上のユーザデータａ１１との干渉を避けるため、そのユーザデータａ１１以外の領域に挿入されている。
【００５９】
位相比較回路１１４は、ＴＳ信号のクロック信号として外部から入力される１０ＭＨｚのデータクロックと、伝送クロック生成回路１１５により生成される２７ＭＨｚの伝送クロックとの位相を比較し、両者の位相差があらかじめ決められた範囲内にあるとき、そのタイミングで、位相マーカ挿入回路１１１へ出力する制御信号（制御パルス）の論理レベルをＬレベルからＨレベルに立ち上げる。
【００６０】
データ受信側装置１３０は、データ送信側装置１１０から伝送されるシリアルデータを受信し、シリアルパラレル変換回路（非図示）にてパラレルデータに変換し、デマルチプレクサ（非図示）にて、データと、そのクロック情報とにそれぞれ分離する。なお、シリアルパラレル変換回路及びデマルチプレクサについては、前述した図７と同様であるため、その説明を省略する。
【００６１】
本実施の形態では、データ受信側装置１３０には、位相マーカａ３を受信し、自身のもつクロック発振器の位相を制御する回路（本発明の校正手段を成す。）が付加される。この回路の具体的な構成例を図１（ｂ）に示す。
【００６２】
同図（ｂ）に示すように、データ受信側装置１３０は、位相比較器１３１と、ＬＰＦ（ローパスフィルタ）１３２と、自身のもつクロック発振器であるＶＣＸＯ（Voltage Controlled Xtal Oscillator：電圧制御水晶発振器）１３３とを有する。この構成により、データ受信側装置１３０は、位相マーカａ３の立ち上がりエッジと自身の持つクロックの立ち上がりエッジとが一致するようにＶＣＸＯ１３３の発振制御を行い、再生（復元）クロックの周波数と位相を合わせ込む。
【００６３】
より詳細には、位相比較器１３１は、位相マーカａ３の立ち上がりエッジと、ＶＣＸＯ１３３により発振されるクロック出力の立ち上がりエッジとの位相を比較し、その位相差信号をＬＰＦ１３２に供給する。
【００６４】
ＬＰＦ１３２は、位相比較器１３１からの差信号の高周波成分を遮断して直流化し、これに対応する電圧をＶＣＸＯ１３３に供給する。
【００６５】
ＶＣＸＯ１３３は、与えられた電圧に応じて自身の発振周波数（自走周波数）を変化させたクロックを出力するもので、ＬＰＦ１３２からの電圧に応じてクロック出力の周波数を上下させる。すなわち、位相比較器１３１からの位相差が実質的に零になるように、クロック出力の発振周波数を可変制御する。例えば、位相マーカの立ち上がり点よりもクロック出力の立ち上がり点の方が位相が進んでいる場合、クロック出力の発振周波数を下げて位相を遅らせる一方、位相マーカの立ち上がり点よりもクロック出力の立ち上がり点の方が位相が遅れている場合、クロック出力の発振周波数を上げて位相を進める。こうすることで、データクロックの周波数のみならず位相が同期した、すなわち周波数情報に加え位相情報も含むクロックを復元（再生）することができる。復元されたクロックは、データクロックとして外部に出力されると共に、位相比較器１３１にフィードバックされる。
【００６６】
次に、本実施形態の動作について説明する。
【００６７】
図２は、データ送信側装置１１０の位相比較回路による出力タイミングを説明するものである。
【００６８】
同図に示すように、データ送信側装置１１０は、２７ＭＨｚの伝送クロックの立ち上がりエッジと１０ＭＨｚのデータクロックの立ち上がりエッジとの位相差があらかじめ決められた所定範囲よりも小さくなるタイミング（図中の例では位相差が許容誤差範囲内で零になるタイミング、すなわちデータクロックと伝送クロックとの位相が実質的に一致するタイミング）Ｔ１で、位相マーカａ３が、シリアル伝送路１２０上に送出されるユーザデータ以外の領域（２７ＭＨｚの伝送クロック毎に送出される１０ビットのシリアルデータａ４から構成される領域）に挿入されている。
【００６９】
ここで、データ送信側装置１１０では、通常はデータをパラレルシリアル変換してシリアル伝送路１２０上に送出しているが、伝送路１２０上には送出すべきデータがない場合も、データ送信側装置１１０とデータ受信側装置１３０との同期を取るために常に同期用のデータが流れている。そのため、伝送されるデータは、同期用のデータの送信が終わるまで待たされる場合が発生し、最大２７ＭＨｚの１伝送クロック（３７ｎｓｅｃ）のジッタを持って伝送される。
【００７０】
そこで、図２に示すように、データクロックと伝送クロックとの位相が一致するタイミングで位相マーカａ３を生成し、その位相マーカａ３をシリアル伝送路１２０にユーザデータａ１１より優先的に送出するようにすれば、ジッタが無い状態で位相情報を伝送可能になる。
【００７１】
図３は、データ受信側装置１３０によるクロックの位相及び周波数を校正するタイミングを説明するものである。同図に示すように、データ受信側装置１３０は、データ送信側装置１１０から間欠的に送られてくる位相マーカａ３の挿入点に対応するタイミングＴ２に合わせるように再生クロックの立ち上がり点を定期的に校正することで、その再生クロックの位相は、固定位相となる。
【００７２】
このようにして、本実施の形態では、データ送信側装置１１０にて、データクロックと、ＤＶＢ−ＡＳＩの非同期クロックとの位相比較を行い、低ジッタで伝送できるタイミングＴ１にて、クロック位相校正用の位相マーカを挿入し、シリアル伝送路１２０上に送出する。つまり、ＤＶＢ−ＡＳＩを使用して、データと併せて、データクロック信号の位相情報である位相マーカも伝送する。そして、データ受信側装置１３０にて、その位相マーカに基づいてデータクロックの位相合わせを行う。
【００７３】
すなわち、本実施の形態では、データ送信側装置１１０に、データクロック（１０ＭＨｚ）と、これとは非同期の伝送クロック（２７ＭＨｚ）との位相を比較する位相比較回路１１４と、両者の位相差があらかじめ決められた範囲内にある場合に、そのタイミングＴ１でデータ受信側装置１３０へ伝送するデータ領域（ユーザデータ伝送区間以外の領域）に位相マーカデータａ３を挿入する位相マーカ挿入回路１１１とを持つように構成している。また、データ受信側装置１３０に、位相マーカデータａ３の伝送タイミングＴ２で、ＶＣＸＯ１３３の位相を制御し、再生（復元）されるデータクロックの位相及び周波数を校正する回路（位相比較器１３１、ＬＰＦ１３２）を設けている。このため、以下のような効果を奏することができる。
【００７４】
第１の効果は、ケーブル１本で、データ及びクロックの２つの信号を伝送できるため、回線使用効率がよいことである。その理由は、ＤＶＢ−ＡＳＩ上のユーザデータ以外の領域を使用するため、ユーザデータと干渉しないことである。
【００７５】
第２の効果は、クロック信号の周波数情報だけでなく位相情報も伝送可能なため、受信側の装置での信号処理時間変動を押さえることが可能で、複数回線で伝送を行い、シームレスに回線切り替えを行うことができる。その理由は、クロック情報伝送の送信タイミングを管理しているためである。
【００７６】
また、ケーブル１本でデータと併せて、位相情報まで含めたクロック信号情報を伝送可能なため、地上デジタル放送システムに要求されるクロックのベースバンド信号のままで単純なＥ／Ｏ装置からＯ／Ｅ装置への遠距離伝送も可能となり、これにより回線コストを削減可能であるといった利点もある。
【００７７】
以上、本発明の実施の形態を詳細に説明したが、本発明は、代表的に例示した上述の実施の形態に限定されるものではなく、当業者であれば、特許請求の範囲の記載内容に基づき、本発明の要旨を逸脱しない範囲内で種々の態様に変形、変更することができる。これらの変形例や変更例も本発明の権利範囲に属するものである。
【００７８】
例えば、上記の伝送システムは、そのハードウェア構成は特に限定されるものではなく、上述した各部の機能（手段）を実現可能なものであれば、いずれの形態でも適用可能である。例えば、各部の機能毎に独立した回路（ＩＣ等）で構成したものでも、１つ又は複数の回路（ＩＣ等）に一体的に構成したものでも、いずれでも適用できる。
【００７９】
また、上記各部の機能の少なくとも一部をプログラムを用いたコンピュータ（ＣＰＵ）の処理で実現するものでもあってもよい。この場合、かかるプログラム及びこれを記録するコンピュータ読み取り可能な記録媒体は、本発明の範疇に含まれる。この場合、オペレーティングシステム等の他のソフトウェアと共同して上記機能が実現される場合は、それらのプログラムも含まれる。
【産業上の利用可能性】
【００８０】
本発明は、地上デジタル送信放送システムのみならず、ラック内データ伝送システム、室間伝送システムなどの伝送システムにも応用が可能である。
【図面の簡単な説明】
【００８１】
【図１】本発明の実施の形態に係る地上デジタル放送システムに用いられる伝送システムの全体構成を示すブロック図で、（ａ）はデータ送信側装置の構成を示すブロック図、（ｂ）はデータ受信側装置の構成を示すブロック図である。
【図２】本発明の実施の形態に係る伝送システムの位相比較回路の出力タイミングを説明するタイミングチャートである。
【図３】本発明の実施の形態に係る伝送システムのデータ受信側装置の位相及び周波数を校正するタイミングを説明するタイミングチャートである。
【図４】従来例の地上デジタル放送システムにおける機器間信号接続図である。
【図５】従来例のデータとクロック情報を多重化して伝送する方式のブロック図である。
【図６】従来例のＧＰＳを使用してデータの送信側と受信側で同期を取り、クロック信号は伝送しない方式のブロック図である。
【図７】従来例のデータとクロックを多重化して送る方式の詳細を示すブロック図である。
【図８】従来例のデータとクロックを多重化して送る方式の問題点を説明する図である。
【符号の説明】
【００８２】
１１０  データ送信側装置
１１１  位相マーカ挿入回路
１１２  データセレクタ
１１３  パラレルシリアル変換回路
１１４  位相比較回路
１１５  伝送クロック生成回路
１２０  シリアル伝送路（ＤＶＢ−ＡＳＩ）
１３０  データ受信側装置
１３１  位相比較器
１３２  ＬＰＦ
１３３  ＶＣＸＯ
【図１】
2008193405.tif 000003
【図２】
2008193405.tif 000004
【図３】
2008193405.tif 000005
【図４】
2008193405.tif 000006
【図５】
2008193405.tif 000007
【図６】
2008193405.tif 000008
【図７】
2008193405.tif 000009
【図８】
2008193405.tif 000010